(57)【要約】【課題】本発明は混和ジュースカップを開示した。【解決手段】本発明は混和ジュースカップを公示し、本体を含み、前記本体の頂面には漏斗が固定的に設置され、前記本体の頂面の中心には仕切板が固定的に設置され、前記漏斗は前記仕切板に左右対称に分割され投入口となり、前記仕切板の頂端と前記本体の底端には通電保護機構が設置され、前記本体の中には上方に開口した粉砕チャンバが左右対称に設置され、本発明の混和ジュースカップは、粉砕強度が強く、均一に混和でき、より良い口当たりをジュースに与えられ、また、本発明の装置は安全で丈夫であり、簡単に操作できる。【選択図】図１
2020175158.tif 000002
【特許請求の範囲】
【請求項１】
正面視で、本体を含み、前記本体の頂面には漏斗が固定的に設置され、前記本体の頂面の中心には仕切板が固定的に設置され、前記漏斗は前記仕切板に左右対称に分割され投入口となり、前記仕切板の頂端と前記本体の底端には通電保護機構が設置され、前記本体の中には上方に開口した粉砕チャンバが左右対称に設置され、二つの前記粉砕チャンバの間の端壁にはモータが固定的に設置され、前記粉砕チャンバの底壁には回転チャンバが設置され、前記粉砕チャンバと前記回転チャンバとの間には回転軸が回転可能に設置され、前記回転軸の頂端にはブレードが固定的に設置され、前記回転軸の底端には第一歯車が固定的に設置され、前記回転チャンバの底壁には下方に開口した攪拌チャンバが設置され、前記モータの底端にはスプラインスリーブが伝動可能に連結され、前記スプラインスリーブは前記攪拌チャンバの中に伸びており、前記回転チャンバの中に位置する前記スプラインスリーブには前記第一歯車と噛み合った第二歯車が固定的に設置され、前記攪拌チャンバの中には円盤がスライド可能に設置され、前記円盤の頂面には磁石盤が固定的に設置され、前記磁石盤の頂面には前記スプラインスリーブと噛み合ったスプライン軸が固定的に設置され、前記磁石盤と前記円盤との間には上下に貫通した第一抜き穴が左右対称に設置され、前記攪拌チャンバの頂壁には円環が回転可能に設置され、前記円環には下方に開口した第一スライド溝が左右対称に設置され、前記第一スライド溝の中には第一スライドブロックがスライド可能に設置され、前記第一スライドブロックと前記第一スライド溝の外側端壁との間には第一ばねが連結されており、前記磁石盤の頂面には固定ブロックが左右対称に、且つ固定的に設置され、前記固定ブロックと前記第一スライドブロックとの間にはヒンジ連結棒がヒンジで連結され、前記円環には上下に貫通した第二抜き穴と前記第二抜き穴の内側に位置する電磁石とが前後対称に設置され、前記第二抜き穴と前記粉砕チャンバとの間にはジュース管路が連通するように設置され、前記攪拌チャンバの右側端壁の中には圧迫作動機構が設置されており、
以上により、前記電磁石と前記磁石盤とが吸引し合って、前記円盤と前記円環とを当接させることで、前記ヒンジ連結棒を水平状態に維持し、そして前記ヒンジ連結棒を前記第一スライド溝の中に収納させ、前記モータは前記ブレードを回転させ、前記ブレードが果物を粉砕し、同時に前記ヒンジ連結棒を回転させ、攪拌を行うことを特徴とする混和ジュースカップ。
【請求項２】
前記圧迫作動機構は前記攪拌チャンバの右端壁の中に位置する第二スライド溝を含み、前記第二スライド溝の中には重力ブロックがスライド可能に設置され、前記重力ブロックには第一押出ロッドが上下対称に、且つ固定的に設置され、前記第二スライド溝の底壁には前記モータと通電できるように連結された第一押しスイッチが設置され、前記第二スライド溝の頂壁には前記電磁石通電できるように連結さた前記第二押しスイッチが設けられ、前記第二スライド溝の右端壁には右方に開口した位置制限溝が連通するように設置され、前記位置制限溝の中には前記重力ブロックと固定的に連結された押しボタンがスライド可能に設置されており、
以上により、前記重力ブロックは前記第一押出ロッドを前記第一押しスイッチと当接させ、前記押しボタンを押すことで、前記モータは起動し、前記スプラインスリーブの回転を連動され、前記本体が上下顛倒した後、前記重力ブロックは重力によって下に滑って前記第一押出ロッドを前記第二押しスイッチと当接させ、再び前記押しボタンを押すことで、前記電磁石は起動して前記磁石盤を吸引することを特徴とする請求項１に記載の混和ジュースカップ。
【請求項３】
前記通電保護機構は前記漏斗を含み、前記漏斗には前記投入口を封鎖できる第一ゴム蓋を取り付けることができ、前記仕切板の中には押出通電装置が設置され、前記押出通電装置は外部と連通した第三スライド溝を含み、前記第三スライド溝の内側端壁には前記第二押しスイッチと、前記第一押しスイッチとそれぞれ通電できるように連結された通電スイッチが固定的に設置され、前記第三スライド溝の中には第二押出ロッドがスライド可能に設置され、前記第三スライド溝の右端壁には第四スライド溝が連通するように設置され、前記第四スライド溝の中には前記第二押出ロッドと固定的に連結された第二スライドブロックがスライド可能に設置され、前記第二スライドブロックと前記第四スライド溝の端壁との間には第二ばねが連結されており、前記圧迫作動機構の底壁には同様に押出通電装置が設置されており、二つの前記通電スイッチは直列接続されており、前記本体の底端には前記攪拌チャンバを密封できる第二ゴム蓋を取り付けることができ、
以上により、前記第一ゴム蓋は前記第二押出ロッドに前記通電スイッチを圧迫させ、上下二つの直列接続された前記通電スイッチが全部圧迫されて起動した後、前記圧迫作動機構の中ははじめて通電可能となることを特徴とする請求項１に記載の混和ジュースカップ。
【発明の詳細な説明】
【技術分野】
【０００１】
本発明はカップ分野を取り上げ、具体的には混和ジュースカップ。
【背景技術】
【０００２】
一般的なジュースカップは機能が単一で、別にミキサーを利用してはじめてジュースを搾れる。また、ジュースを混ぜる時に、もし不十分に混ぜると口当たりは影響されてしまう。ジュースを搾りだした後、均一に混和させるには、攪拌と粉砕の時間を十分に割り振る必要があり、混和ジュースの制作効率を高める。そのため、混和ジュースカップを設計し、上記の問題を解決する必要がある。
【先行技術文献】
【特許文献】
【０００３】
【特許文献１】中国特許出願公開第105832116号明細書
【発明の概要】
【発明が解決しようとする課題】
【０００４】
本発明は混和ジュースカップを提供し、既存技術にある上記の欠点を解消することを目的とする。
【課題を解決するための手段】
【０００５】
本発明は以下の技術プランを通じて実現する：本発明の混和ジュースカップは、本体を含み、前記本体の頂面には漏斗が固定的に設置され、前記本体の頂面の中心には仕切板が固定的に設置され、前記漏斗は前記仕切板に左右対称に分割され投入口となり、前記仕切板の頂端と前記本体の底端には通電保護機構が設置され、前記本体の中には上方に開口した粉砕チャンバが左右対称に設置され、二つの前記粉砕チャンバの間の端壁にはモータが固定的に設置され、前記粉砕チャンバの底壁には回転チャンバが設置され、前記粉砕チャンバと前記回転チャンバとの間には回転軸が回転可能に設置され、前記回転軸の頂端にはブレードが固定的に設置され、前記回転軸の底端には第一歯車が固定的に設置され、前記回転チャンバの底壁には下方に開口した攪拌チャンバが設置され、前記モータの底端にはスプラインスリーブが伝動可能に連結され、前記スプラインスリーブは前記攪拌チャンバの中に伸びており、前記回転チャンバの中に位置する前記スプラインスリーブには前記第一歯車と噛み合った第二歯車が固定的に設置され、前記攪拌チャンバの中には円盤がスライド可能に設置され、前記円盤の頂面には磁石盤が固定的に設置され、前記磁石盤の頂面には前記スプラインスリーブと噛み合ったスプライン軸が固定的に設置され、前記磁石盤と前記円盤との間には上下に貫通した第一抜き穴が左右対称に設置され、前記攪拌チャンバの頂壁には円環が回転可能に設置され、前記円環には下方に開口した第一スライド溝が左右対称に設置され、前記第一スライド溝の中には第一スライドブロックがスライド可能に設置され、前記第一スライドブロックと前記第一スライド溝の外側端壁との間には第一ばねが連結されており、前記磁石盤の頂面には固定ブロックが左右対称に、且つ固定的に設置され、前記固定ブロックと前記第一スライドブロックとの間にはヒンジ連結棒がヒンジで連結され、前記円環には上下に貫通した第二抜き穴と前記第二抜き穴の内側に位置する電磁石とが前後対称に設置され、前記第二抜き穴と前記粉砕チャンバとの間にはジュース管路が連通するように設置され、前記攪拌チャンバの右側端壁の中には圧迫作動機構が設置されており、
以上により、前記電磁石と前記磁石盤とが吸引し合って、前記円盤と前記円環とを当接させることで、前記ヒンジ連結棒を水平状態に維持し、そして前記ヒンジ連結棒を前記第一スライド溝の中に収納させ、前記モータは前記ブレードを回転させ、前記ブレードが果物を粉砕し、同時に前記ヒンジ連結棒を回転させ、攪拌を行う。
【０００６】
優選の技術プランとして、前記圧迫作動機構は前記攪拌チャンバの右端壁の中に位置する第二スライド溝を含み、前記第二スライド溝の中には重力ブロックがスライド可能に設置され、前記重力ブロックには第一押出ロッドが上下対称に、且つ固定的に設置され、前記第二スライド溝の底壁には前記モータと通電できるように連結された第一押しスイッチが設置され、前記第二スライド溝の頂壁には前記電磁石通電できるように連結さた前記第二押しスイッチが設けられ、前記第二スライド溝の右端壁には右方に開口した位置制限溝が連通するように設置され、前記位置制限溝の中には前記重力ブロックと固定的に連結された押しボタンがスライド可能に設置されており、
以上により、前記重力ブロックは前記第一押出ロッドを前記第一押しスイッチと当接させ、前記押しボタンを押すことで、前記モータは起動し、前記スプラインスリーブの回転を連動され、前記本体が上下顛倒した後、前記重力ブロックは重力によって下に滑って前記第一押出ロッドを前記第二押しスイッチと当接させ、再び前記押しボタンを押すことで、前記電磁石は起動して前記磁石盤を吸引する。
【０００７】
優選の技術プランとして、前記通電保護機構は前記漏斗を含み、前記漏斗には前記投入口を封鎖できる第一ゴム蓋を取り付けることができ、前記仕切板の中には押出通電装置が設置され、前記押出通電装置は外部と連通した第三スライド溝を含み、前記第三スライド溝の内側端壁には前記第二押しスイッチと、前記第一押しスイッチとそれぞれ通電できるように連結された通電スイッチが固定的に設置され、前記第三スライド溝の中には第二押出ロッドがスライド可能に設置され、前記第三スライド溝の右端壁には第四スライド溝が連通するように設置され、前記第四スライド溝の中には前記第二押出ロッドと固定的に連結された第二スライドブロックがスライド可能に設置され、前記第二スライドブロックと前記第四スライド溝の端壁との間には第二ばねが連結されており、前記圧迫作動機構の底壁には同様に押出通電装置が設置されており、二つの前記通電スイッチは直列接続されており、前記本体の底端には前記攪拌チャンバを密封できる第二ゴム蓋を取り付けることができ、
以上により、前記第一ゴム蓋は前記第二押出ロッドに前記通電スイッチを圧迫させ、上下二つの直列接続された前記通電スイッチが全部圧迫されて起動した後、前記圧迫作動機構の中ははじめて通電可能となる。
【発明の効果】
【０００８】
要約すると、本発明の混和ジュースカップは、粉砕強度が強く、均一に混和でき、より良い口当たりをジュースに与えられ、また、本発明の装置は安全で丈夫であり、簡単に操作できる。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である
【００１０】
【図１】図１は本発明の混和ジュースカップの全体構成略図
【図２】図２は図１におけるＡ―Ａの構成略図
【図３】図３は図１におけるＢ―Ｂの構成略図
【図４】図４は図１におけるＣの拡大構造略図
【図５】図５は図１におけるＤの拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５が示したよう、本発明の混和ジュースカップは、本体５０を含み、前記本体５０の頂面には漏斗１７が固定的に設置され、前記本体５０の頂面の中心には仕切板１９が固定的に設置され、前記漏斗１７は前記仕切板１９に左右対称に分割され投入口１６となり、前記仕切板１９の頂端と前記本体５０の底端には通電保護機構９０が設置され、前記本体５０の中には上方に開口した粉砕チャンバ２０が左右対称に設置され、二つの前記粉砕チャンバ２０の間の端壁にはモータ２１が固定的に設置され、前記粉砕チャンバ２０の底壁には回転チャンバ３６が設置され、前記粉砕チャンバ２０と前記回転チャンバ３６との間には回転軸３５が回転可能に設置され、前記回転軸３５の頂端にはブレード３４が固定的に設置され、前記回転軸３５の底端には第一歯車３７が固定的に設置され、前記回転チャンバ３６の底壁には下方に開口した攪拌チャンバ２９が設置され、前記モータ２１の底端にはスプラインスリーブ２２が伝動可能に連結され、前記スプラインスリーブ２２は前記攪拌チャンバ２９の中に伸びており、前記回転チャンバ３６の中に位置する前記スプラインスリーブ２２には前記第一歯車３７と噛み合った第二歯車３８が固定的に設置され、前記攪拌チャンバ２９の中には円盤４８がスライド可能に設置され、前記円盤４８の頂面には磁石盤４６が固定的に設置され、前記磁石盤４６の頂面には前記スプラインスリーブ２２と噛み合ったスプライン軸４４が固定的に設置され、前記磁石盤４６と前記円盤４８との間には上下に貫通した第一抜き穴４７が左右対称に設置され、前記攪拌チャンバ２９の頂壁には円環３９が回転可能に設置され、前記円環３９には下方に開口した第一スライド溝４２が左右対称に設置され、前記第一スライド溝４２の中には第一スライドブロック４１がスライド可能に設置され、前記第一スライドブロック４１と前記第一スライド溝４２の外側端壁との間には第一ばね４０が連結されており、前記磁石盤４６の頂面には固定ブロック４５が左右対称に、且つ固定的に設置され、前記固定ブロック４５と前記第一スライドブロック４１との間にはヒンジ連結棒４３がヒンジで連結され、前記円環３９には上下に貫通した第二抜き穴３３と前記第二抜き穴３３の内側に位置する電磁石３２とが前後対称に設置され、前記第二抜き穴３３と前記粉砕チャンバ２０との間にはジュース管路３１が連通するように設置され、前記攪拌チャンバ２９の右側端壁の中には圧迫作動機構９１が設置されており、
以上により、前記電磁石３２と前記磁石盤４６とが吸引し合って、前記円盤４８と前記円環３９とを当接させることで、前記ヒンジ連結棒４３を水平状態に維持し、そして前記ヒンジ連結棒４３を前記第一スライド溝４２の中に収納させ、前記モータ２１は前記ブレード３４を回転させ、前記ブレード３４が果物を粉砕し、同時に前記ヒンジ連結棒４３を回転させ、攪拌を行う。
【００１３】
好ましくは、前記圧迫作動機構９１は前記攪拌チャンバ２９の右端壁の中に位置する第二スライド溝２４を含み、前記第二スライド溝の中には重力ブロック２６がスライド可能に設置され、前記重力ブロック２６には第一押出ロッド２８が上下対称に、且つ固定的に設置され、前記第二スライド溝２４の底壁には前記モータ２１と通電できるように連結された第一押しスイッチ４９が設置され、前記第二スライド溝２４の頂壁には前記電磁石３２通電できるように連結さた前記第二押しスイッチ２３が設けられ、前記第二スライド溝２４の右端壁には右方に開口した位置制限溝２５が連通するように設置され、前記位置制限溝２５の中には前記重力ブロック２６と固定的に連結された押しボタン２７がスライド可能に設置されており、
以上により、前記重力ブロック２６は前記第一押出ロッド２８を前記第一押しスイッチ４９と当接させ、前記押しボタン２７を押すことで、前記モータ２１は起動し、前記スプラインスリーブ２２の回転を連動され、前記本体５０が上下顛倒した後、前記重力ブロック２６は重力によって下に滑って前記第一押出ロッド２８を前記第二押しスイッチ２３と当接させ、再び前記押しボタン２７を押すことで、前記電磁石３２は起動して前記磁石盤４６を吸引する。
【００１４】
好ましくは、前記通電保護機構９０は前記漏斗１７を含み、前記漏斗１７には前記投入口１６を封鎖できる第一ゴム蓋１８を取り付けることができ、前記仕切板１９の中には押出通電装置８０が設置され、前記押出通電装置８０は外部と連通した第三スライド溝１１を含み、前記第三スライド溝１１の内側端壁には前記第二押しスイッチ２３と、前記第一押しスイッチ４９とそれぞれ通電できるように連結された通電スイッチ１０が固定的に設置され、前記第三スライド溝１１の中には第二押出ロッド１２がスライド可能に設置され、前記第三スライド溝１１の右端壁には第四スライド溝１５が連通するように設置され、前記第四スライド溝１５の中には前記第二押出ロッド１２と固定的に連結された第二スライドブロック１４がスライド可能に設置され、前記第二スライドブロック１４と前記第四スライド溝１５の端壁との間には第二ばね１３が連結されており、前記圧迫作動機構９１の底壁には同様に押出通電装置８０が設置されており、二つの前記通電スイッチ１０は直列接続されており、前記本体５０の底端には前記攪拌チャンバ２９を密封できる第二ゴム蓋３０を取り付けることができ、
以上により、前記第一ゴム蓋１８は前記第二押出ロッド１２に前記通電スイッチ１０を圧迫させ、上下二つの直列接続された前記通電スイッチ１０が全部圧迫されて起動した後、前記圧迫作動機構９１の中ははじめて通電可能となる。  
【００１５】
下記に附図及び上記した本願の混和ジュースカップの具体的構成を参照し、本発明の使用方法について詳しく説明する：
【００１６】
前記漏斗１７を上向きに前記本体５０に置き、次に異なる果物を左右両側の前記投入口１６の中に投入し、前記第一ゴム蓋１８と前記第二ゴム蓋３０とで前記投入口１６と前記攪拌チャンバ２９とをそれぞれ密封し、この時、前記第一ゴム蓋１８は前記第二押出ロッド１２に前記通電スイッチ１０を圧迫させ、上下二つの直列接続された前記通電スイッチ１０は全部圧迫されて起動し、前記圧迫作動機構９１の中は通電可能となり、装置は自動的に通電保護を行い、不完全な密封によるジュースの跳ね飛ばしを防げる。
【００１７】
次に押しボタン２７を押し、前記第一押しスイッチ４９が前記モータ２１を起動させ、前記モータ２１は前記第二歯車３８を回転させ、前記第二歯車３８は前記第一歯車３７と前記ブレード３４とを回転させ、前記ブレード３４は果物を粉砕し、同時に前記スプラインスリーブ２２は前記スプライン軸４４を回転させ、前記スプライン軸４４が前記円盤４８を回転させ、前記円盤４８が重力によって前記ヒンジ連結棒４３を垂直状態に引っ張り、連結棒４３が攪拌棒として使用でき、前記ヒンジ連結棒４３の回転は前記磁石盤４６を回転させ、一周回る度に自動的に一部のジュースを追加し混和させ、ジュースを均一に混和でき、同時に前記粉砕チャンバ２０の中のジュース貯蔵量が大きく、果物を継続的に粉砕でき、粉砕強度が強く、より良い口当たりをジュースに与えられる。
【００１８】
ジュースを全部混和した後、前記本体５０をひっくり返し、再び前記押しボタン２７を押し、前記電磁石３２と前記磁石盤４６とが吸引し合って前記円盤４８と前記円環３９とを当接させることで、前記ヒンジ連結棒４３を水平状態に維持し前記第一スライド溝４２の中に収納し、前記第二ゴム蓋３０を開けると、直接混和ジュースを飲用可能であり、同時に前記漏斗１７は台座として使用可能であり、飲用時には傾倒しにくいである。
【００１９】
要約すると、本発明の混和ジュースカップは、粉砕強度が強く、均一に混和でき、より良い口当たりをジュースに与えられ、また、本発明の装置は安全で丈夫であり、簡単に操作できる。
【００２０】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020175158.tif 000003
【図２】
2020175158.tif 000004
【図３】
2020175158.tif 000005
【図４】
2020175158.tif 000006
【図５】
2020175158.tif 000007
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の頂面には漏斗が固定的に設置され、前記本体の頂面の中心には仕切板が固定的に設置され、前記漏斗は前記仕切板に左右対称に分割され投入口となり、前記仕切板の頂端と前記本体の底端には通電保護機構が設置され、前記本体の中には上方に開口した粉砕チャンバが左右対称に設置され、二つの前記粉砕チャンバの間の端壁にはモータが固定的に設置され、前記粉砕チャンバの底壁には回転チャンバが設置され、前記粉砕チャンバと前記回転チャンバとの間には回転軸が回転可能に設置され、前記回転軸の頂端にはブレードが固定的に設置され、前記回転軸の底端には第一歯車が固定的に設置され、前記回転チャンバの底壁には下方に開口した攪拌チャンバが設置され、前記モータの底端にはスプラインスリーブが伝動可能に連結され、前記スプラインスリーブは前記攪拌チャンバの中に伸びており、前記回転チャンバの中に位置する前記スプラインスリーブには前記第一歯車と噛み合った第二歯車が固定的に設置され、前記攪拌チャンバの中には円盤がスライド可能に設置され、前記円盤の頂面には磁石盤が固定的に設置され、前記磁石盤の頂面には前記スプラインスリーブと噛み合ったスプライン軸が固定的に設置され、前記磁石盤と前記円盤との間には上下に貫通した第一抜き穴が左右対称に設置され、前記攪拌チャンバの頂壁には円環が回転可能に設置され、前記円環には下方に開口した第一スライド溝が左右対称に設置され、前記第一スライド溝の中には第一スライドブロックがスライド可能に設置され、前記第一スライドブロックと前記第一スライド溝の外側端壁との間には第一ばねが連結されており、前記磁石盤の頂面には固定ブロックが左右対称に、且つ固定的に設置され、前記固定ブロックと前記第一スライドブロックとの間にはヒンジ連結棒がヒンジで連結され、前記円環には上下に貫通した第二抜き穴と前記第二抜き穴の内側に位置する電磁石とが前後対称に設置され、前記第二抜き穴と前記粉砕チャンバとの間にはジュース管路が連通するように設置され、前記攪拌チャンバの右側端壁の中には圧迫作動機構が設置されており、以上により、前記電磁石と前記磁石盤とが吸引し合って、前記円盤と前記円環とを当接させることで、前記ヒンジ連結棒を水平状態に維持し、そして前記ヒンジ連結棒を前記第一スライド溝の中に収納させ、前記モータは前記ブレードを回転させ、前記ブレードが果物を粉砕し、同時に前記ヒンジ連結棒を回転させ、攪拌を行うことを特徴とする混和ジュースカップ。
【請求項２】
前記圧迫作動機構は前記攪拌チャンバの右端壁の中に位置する第二スライド溝を含み、前記第二スライド溝の中には重力ブロックがスライド可能に設置され、前記重力ブロックには第一押出ロッドが上下対称に、且つ固定的に設置され、前記第二スライド溝の底壁には前記モータと通電できるように連結された第一押しスイッチが設置され、前記第二スライド溝の頂壁には前記電磁石に通電できるように連結された第二押しスイッチが設けられ、前記第二スライド溝の右端壁には右方に開口した位置制限溝が連通するように設置され、前記位置制限溝の中には前記重力ブロックと固定的に連結された押しボタンがスライド可能に設置されており、以上により、前記重力ブロックは前記第一押出ロッドを前記第一押しスイッチと当接させ、前記押しボタンを押すことで、前記モータは起動し、前記スプラインスリーブの回転を連動され、前記本体が上下顛倒した後、前記重力ブロックは重力によって下に滑って前記第一押出ロッドを前記第二押しスイッチと当接させ、再び前記押しボタンを押すことで、前記電磁石は起動して前記磁石盤を吸引することを特徴とする請求項１に記載の混和ジュースカップ。
【請求項３】
前記通電保護機構は前記漏斗を含み、前記漏斗には前記投入口を封鎖できる第一ゴム蓋を取り付けることができ、前記仕切板の中には押出通電装置が設置され、前記押出通電装置は外部と連通した第三スライド溝を含み、前記第三スライド溝の内側端壁には前記第二押しスイッチと、前記第一押しスイッチとそれぞれ通電できるように連結された通電スイッチが固定的に設置され、前記第三スライド溝の中には第二押出ロッドがスライド可能に設置され、前記第三スライド溝の右端壁には第四スライド溝が連通するように設置され、前記第四スライド溝の中には前記第二押出ロッドと固定的に連結された第二スライドブロックがスライド可能に設置され、前記第二スライドブロックと前記第四スライド溝の端壁との間には第二ばねが連結されており、前記圧迫作動機構の底壁には同様に押出通電装置が設置されており、二つの前記通電スイッチは直列接続されており、前記本体の底端には前記攪拌チャンバを密封できる第二ゴム蓋を取り付けることができ、以上により、前記第一ゴム蓋は前記第二押出ロッドに前記通電スイッチを圧迫させ、上下二つの直列接続された前記通電スイッチが全部圧迫されて起動した後、前記圧迫作動機構の中ははじめて通電可能となることを特徴とする請求項２に記載の混和ジュースカップ。
【手続補正２】
【補正対象書類名】明細書
【補正対象項目名】全文
【補正方法】変更
【補正の内容】
【発明の詳細な説明】
【技術分野】
【０００１】
本発明はカップ分野を取り上げ、具体的には混和ジュースカップ。
【背景技術】
【０００２】
一般的なジュースカップは機能が単一で、別にミキサーを利用してはじめてジュースを搾れる。また、ジュースを混ぜる時に、もし不十分に混ぜると口当たりは影響されてしまう。ジュースを搾りだした後、均一に混和させるには、攪拌と粉砕の時間を十分に割り振る必要があり、混和ジュースの制作効率を高める。そのため、混和ジュースカップを設計し、上記の問題を解決する必要がある。
【先行技術文献】
【特許文献】
【０００３】
【特許文献１】中国特許出願公開第１０５８３２１１６号明細書
【発明の概要】
【発明が解決しようとする課題】
【０００４】
本発明は混和ジュースカップを提供し、既存技術にある上記の欠点を解消することを目的とする。
【課題を解決するための手段】
【０００５】
本発明は以下の技術プランを通じて実現する：本発明の混和ジュースカップは、本体を含み、前記本体の頂面には漏斗が固定的に設置され、前記本体の頂面の中心には仕切板が固定的に設置され、前記漏斗は前記仕切板に左右対称に分割され投入口となり、前記仕切板の頂端と前記本体の底端には通電保護機構が設置され、前記本体の中には上方に開口した粉砕チャンバが左右対称に設置され、二つの前記粉砕チャンバの間の端壁にはモータが固定的に設置され、前記粉砕チャンバの底壁には回転チャンバが設置され、前記粉砕チャンバと前記回転チャンバとの間には回転軸が回転可能に設置され、前記回転軸の頂端にはブレードが固定的に設置され、前記回転軸の底端には第一歯車が固定的に設置され、前記回転チャンバの底壁には下方に開口した攪拌チャンバが設置され、前記モータの底端にはスプラインスリーブが伝動可能に連結され、前記スプラインスリーブは前記攪拌チャンバの中に伸びており、前記回転チャンバの中に位置する前記スプラインスリーブには前記第一歯車と噛み合った第二歯車が固定的に設置され、前記攪拌チャンバの中には円盤がスライド可能に設置され、前記円盤の頂面には磁石盤が固定的に設置され、前記磁石盤の頂面には前記スプラインスリーブと噛み合ったスプライン軸が固定的に設置され、前記磁石盤と前記円盤との間には上下に貫通した第一抜き穴が左右対称に設置され、前記攪拌チャンバの頂壁には円環が回転可能に設置され、前記円環には下方に開口した第一スライド溝が左右対称に設置され、前記第一スライド溝の中には第一スライドブロックがスライド可能に設置され、前記第一スライドブロックと前記第一スライド溝の外側端壁との間には第一ばねが連結されており、前記磁石盤の頂面には固定ブロックが左右対称に、且つ固定的に設置され、前記固定ブロックと前記第一スライドブロックとの間にはヒンジ連結棒がヒンジで連結され、前記円環には上下に貫通した第二抜き穴と前記第二抜き穴の内側に位置する電磁石とが前後対称に設置され、前記第二抜き穴と前記粉砕チャンバとの間にはジュース管路が連通するように設置され、前記攪拌チャンバの右側端壁の中には圧迫作動機構が設置されており、以上により、前記電磁石と前記磁石盤とが吸引し合って、前記円盤と前記円環とを当接させることで、前記ヒンジ連結棒を水平状態に維持し、そして前記ヒンジ連結棒を前記第一スライド溝の中に収納させ、前記モータは前記ブレードを回転させ、前記ブレードが果物を粉砕し、同時に前記ヒンジ連結棒を回転させ、攪拌を行う。
【０００６】
優選の技術プランとして、前記圧迫作動機構は前記攪拌チャンバの右端壁の中に位置する第二スライド溝を含み、前記第二スライド溝の中には重力ブロックがスライド可能に設置され、前記重力ブロックには第一押出ロッドが上下対称に、且つ固定的に設置され、前記第二スライド溝の底壁には前記モータと通電できるように連結された第一押しスイッチが設置され、前記第二スライド溝の頂壁には前記電磁石に通電できるように連結された第二押しスイッチが設けられ、前記第二スライド溝の右端壁には右方に開口した位置制限溝が連通するように設置され、前記位置制限溝の中には前記重力ブロックと固定的に連結された押しボタンがスライド可能に設置されており、以上により、前記重力ブロックは前記第一押出ロッドを前記第一押しスイッチと当接させ、前記押しボタンを押すことで、前記モータは起動し、前記スプラインスリーブの回転を連動され、前記本体が上下顛倒した後、前記重力ブロックは重力によって下に滑って前記第一押出ロッドを前記第二押しスイッチと当接させ、再び前記押しボタンを押すことで、前記電磁石は起動して前記磁石盤を吸引する。
【０００７】
優選の技術プランとして、前記通電保護機構は前記漏斗を含み、前記漏斗には前記投入口を封鎖できる第一ゴム蓋を取り付けることができ、前記仕切板の中には押出通電装置が設置され、前記押出通電装置は外部と連通した第三スライド溝を含み、前記第三スライド溝の内側端壁には前記第二押しスイッチと、前記第一押しスイッチとそれぞれ通電できるように連結された通電スイッチが固定的に設置され、前記第三スライド溝の中には第二押出ロッドがスライド可能に設置され、前記第三スライド溝の右端壁には第四スライド溝が連通するように設置され、前記第四スライド溝の中には前記第二押出ロッドと固定的に連結された第二スライドブロックがスライド可能に設置され、前記第二スライドブロックと前記第四スライド溝の端壁との間には第二ばねが連結されており、前記圧迫作動機構の底壁には同様に押出通電装置が設置されており、二つの前記通電スイッチは直列接続されており、前記本体の底端には前記攪拌チャンバを密封できる第二ゴム蓋を取り付けることができ、以上により、前記第一ゴム蓋は前記第二押出ロッドに前記通電スイッチを圧迫させ、上下二つの直列接続された前記通電スイッチが全部圧迫されて起動した後、前記圧迫作動機構の中ははじめて通電可能となる。
【発明の効果】
【０００８】
要約すると、本発明の混和ジュースカップは、粉砕強度が強く、均一に混和でき、より良い口当たりをジュースに与えられ、また、本発明の装置は安全で丈夫であり、簡単に操作できる。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である
【００１０】
【図１】図１は本発明の混和ジュースカップの全体構成略図
【図２】図２は図１におけるＢ―Ｂの構成略図
【図３】図３は図１におけるＡ―Ａの構成略図
【図４】図４は図１におけるＣの拡大構造略図
【図５】図５は図１におけるＤの拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５が示したよう、本発明の混和ジュースカップは、本体５０を含み、前記本体５０の頂面には漏斗１７が固定的に設置され、前記本体５０の頂面の中心には仕切板１９が固定的に設置され、前記漏斗１７は前記仕切板１９に左右対称に分割され投入口１６となり、前記仕切板１９の頂端と前記本体５０の底端には通電保護機構９０が設置され、前記本体５０の中には上方に開口した粉砕チャンバ２０が左右対称に設置され、二つの前記粉砕チャンバ２０の間の端壁にはモータ２１が固定的に設置され、前記粉砕チャンバ２０の底壁には回転チャンバ３６が設置され、前記粉砕チャンバ２０と前記回転チャンバ３６との間には回転軸３５が回転可能に設置され、前記回転軸３５の頂端にはブレード３４が固定的に設置され、前記回転軸３５の底端には第一歯車３７が固定的に設置され、前記回転チャンバ３６の底壁には下方に開口した攪拌チャンバ２９が設置され、前記モータ２１の底端にはスプラインスリーブ２２が伝動可能に連結され、前記スプラインスリーブ２２は前記攪拌チャンバ２９の中に伸びており、前記回転チャンバ３６の中に位置する前記スプラインスリーブ２２には前記第一歯車３７と噛み合った第二歯車３８が固定的に設置され、前記攪拌チャンバ２９の中には円盤４８がスライド可能に設置され、前記円盤４８の頂面には磁石盤４６が固定的に設置され、前記磁石盤４６の頂面には前記スプラインスリーブ２２と噛み合ったスプライン軸４４が固定的に設置され、前記磁石盤４６と前記円盤４８との間には上下に貫通した第一抜き穴４７が左右対称に設置され、前記攪拌チャンバ２９の頂壁には円環３９が回転可能に設置され、前記円環３９には下方に開口した第一スライド溝４２が左右対称に設置され、前記第一スライド溝４２の中には第一スライドブロック４１がスライド可能に設置され、前記第一スライドブロック４１と前記第一スライド溝４２の外側端壁との間には第一ばね４０が連結されており、前記磁石盤４６の頂面には固定ブロック４５が左右対称に、且つ固定的に設置され、前記固定ブロック４５と前記第一スライドブロック４１との間にはヒンジ連結棒４３がヒンジで連結され、前記円環３９には上下に貫通した第二抜き穴３３と前記第二抜き穴３３の内側に位置する電磁石３２とが前後対称に設置され、前記第二抜き穴３３と前記粉砕チャンバ２０との間にはジュース管路３１が連通するように設置され、前記攪拌チャンバ２９の右側端壁の中には圧迫作動機構９１が設置されており、以上により、前記電磁石３２と前記磁石盤４６とが吸引し合って、前記円盤４８と前記円環３９とを当接させることで、前記ヒンジ連結棒４３を水平状態に維持し、そして前記ヒンジ連結棒４３を前記第一スライド溝４２の中に収納させ、前記モータ２１は前記ブレード３４を回転させ、前記ブレード３４が果物を粉砕し、同時に前記ヒンジ連結棒４３を回転させ、攪拌を行う。
【００１３】
好ましくは、前記圧迫作動機構９１は前記攪拌チャンバ２９の右端壁の中に位置する第二スライド溝２４を含み、前記第二スライド溝の中には重力ブロック２６がスライド可能に設置され、前記重力ブロック２６には第一押出ロッド２８が上下対称に、且つ固定的に設置され、前記第二スライド溝２４の底壁には前記モータ２１と通電できるように連結された第一押しスイッチ４９が設置され、前記第二スライド溝２４の頂壁には前記電磁石３２に通電できるように連結された第二押しスイッチ２３が設けられ、前記第二スライド溝２４の右端壁には右方に開口した位置制限溝２５が連通するように設置され、前記位置制限溝２５の中には前記重力ブロック２６と固定的に連結された押しボタン２７がスライド可能に設置されており、以上により、前記重力ブロック２６は前記第一押出ロッド２８を前記第一押しスイッチ４９と当接させ、前記押しボタン２７を押すことで、前記モータ２１は起動し、前記スプラインスリーブ２２の回転を連動され、前記本体５０が上下顛倒した後、前記重力ブロック２６は重力によって下に滑って前記第一押出ロッド２８を前記第二押しスイッチ２３と当接させ、再び前記押しボタン２７を押すことで、前記電磁石３２は起動して前記磁石盤４６を吸引する。
【００１４】
好ましくは、前記通電保護機構９０は前記漏斗１７を含み、前記漏斗１７には前記投入口１６を封鎖できる第一ゴム蓋１８を取り付けることができ、前記仕切板１９の中には押出通電装置８０が設置され、前記押出通電装置８０は外部と連通した第三スライド溝１１を含み、前記第三スライド溝１１の内側端壁には前記第二押しスイッチ２３と、前記第一押しスイッチ４９とそれぞれ通電できるように連結された通電スイッチ１０が固定的に設置され、前記第三スライド溝１１の中には第二押出ロッド１２がスライド可能に設置され、前記第三スライド溝１１の右端壁には第四スライド溝１５が連通するように設置され、前記第四スライド溝１５の中には前記第二押出ロッド１２と固定的に連結された第二スライドブロック１４がスライド可能に設置され、前記第二スライドブロック１４と前記第四スライド溝１５の端壁との間には第二ばね１３が連結されており、前記圧迫作動機構９１の底壁には同様に押出通電装置８０が設置されており、二つの前記通電スイッチ１０は直列接続されており、前記本体５０の底端には前記攪拌チャンバ２９を密封できる第二ゴム蓋３０を取り付けることができ、以上により、前記第一ゴム蓋１８は前記第二押出ロッド１２に前記通電スイッチ１０を圧迫させ、上下二つの直列接続された前記通電スイッチ１０が全部圧迫されて起動した後、前記圧迫作動機構９１の中ははじめて通電可能となる。
【００１５】
下記に附図及び上記した本願の混和ジュースカップの具体的構成を参照し、本発明の使用方法について詳しく説明する：
【００１６】
前記漏斗１７を上向きに前記本体５０に置き、次に異なる果物を左右両側の前記投入口１６の中に投入し、前記第一ゴム蓋１８と前記第二ゴム蓋３０とで前記投入口１６と前記攪拌チャンバ２９とをそれぞれ密封し、この時、前記第一ゴム蓋１８は前記第二押出ロッド１２に前記通電スイッチ１０を圧迫させ、上下二つの直列接続された前記通電スイッチ１０は全部圧迫されて起動し、前記圧迫作動機構９１の中は通電可能となり、装置は自動的に通電保護を行い、不完全な密封によるジュースの跳ね飛ばしを防げる。
【００１７】
次に押しボタン２７を押し、前記第一押しスイッチ４９が前記モータ２１を起動させ、前記モータ２１は前記第二歯車３８を回転させ、前記第二歯車３８は前記第一歯車３７と前記ブレード３４とを回転させ、前記ブレード３４は果物を粉砕し、同時に前記スプラインスリーブ２２は前記スプライン軸４４を回転させ、前記スプライン軸４４が前記円盤４８を回転させ、前記円盤４８が重力によって前記ヒンジ連結棒４３を垂直状態に引っ張り、連結棒４３が攪拌棒として使用でき、前記ヒンジ連結棒４３の回転は前記磁石盤４６を回転させ、一周回る度に自動的に一部のジュースを追加し混和させ、ジュースを均一に混和でき、同時に前記粉砕チャンバ２０の中のジュース貯蔵量が大きく、果物を継続的に粉砕でき、粉砕強度が強く、より良い口当たりをジュースに与えられる。
【００１８】
ジュースを全部混和した後、前記本体５０をひっくり返し、再び前記押しボタン２７を押し、前記電磁石３２と前記磁石盤４６とが吸引し合って前記円盤４８と前記円環３９とを当接させることで、前記ヒンジ連結棒４３を水平状態に維持し前記第一スライド溝４２の中に収納し、前記第二ゴム蓋３０を開けると、直接混和ジュースを飲用可能であり、同時に前記漏斗１７は台座として使用可能であり、飲用時には傾倒しにくいである。
【００１９】
要約すると、本発明の混和ジュースカップは、粉砕強度が強く、均一に混和でき、より良い口当たりをジュースに与えられ、また、本発明の装置は安全で丈夫であり、簡単に操作できる。
【００２０】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。